(57)【要約】【課題】  空間の使用目的に応じた空間の適切な明るさを確保しつつ、人工照明のエネルギーを抑制すること。【解決手段】  室内の天井面または壁面に設置可能な照明装置であって、照明装置を天井面または壁面に設置するための設置部と、少なくとも一面が発光面である板状部材により構成され、設置部により天井面または壁面に照明装置が設置された状態において、前記発光面に対する法線方向が、床面の方向を除く少なくとも１つの方向である発光部とを備える。【選択図】    図５
2015002007.tif 000002
【特許請求の範囲】
【請求項１】
室内の天井面または壁面に設置可能な照明装置であって、
前記照明装置を前記天井面または前記壁面に設置するための設置部と、
少なくとも一面が発光面である板状部材により構成され、前記設置部により前記天井面または前記壁面に前記照明装置が設置された状態において、前記発光面に対する法線方向が、床面の方向を除く少なくとも１つの方向である発光部と
を備えることを特徴とする照明装置。
【請求項２】
請求項１に記載の照明装置において、
前記発光面に対する法線方向は、鉛直方向と垂直な方向である
ことを特徴とする照明装置。
【請求項３】
請求項１に記載の照明装置において、
前記発光部は鉛直方向と垂直な断面において、十字形状を有する
ことを特徴とする照明装置。
【請求項４】
請求項１に記載の照明装置において、
前記発光部は鉛直方向と垂直な断面において、前記壁面とそれぞれ平行な複数の直線からなる多角形形状を有する
ことを特徴とする照明装置。
【請求項５】
請求項１に記載の照明装置において、
前記発光部は鉛直方向と垂直な断面において、円形状または楕円形状を有する
ことを特徴とする照明装置。
【請求項６】
請求項１から請求項５の何れか１項に記載の照明装置において、
前記設置部は、前記照明装置を、前記天井面または前記壁面に直接、または、支持部を介して設置する
ことを特徴とする照明装置。
【請求項７】
請求項１から請求項６の何れか１項に記載の照明装置において、
前記発光部に電源を供給するバッテリー部をさらに備える
ことを特徴とする照明装置。
【請求項８】
請求項１から請求項７の何れか１項に記載の照明装置において、
前記発光部は前記板状部材のうち、前記天井面または前記壁面に隣接する部分に可動部を設け、前記可動部により鉛直方向に対する前記発光面の角度を変更可能である
ことを特徴とする照明装置。
【請求項９】
請求項１から請求項８の何れか１項に記載の照明装置において、
前記発光部は前記板状部材のうち、前記法線方向に対して垂直な２つの面が前記発光面である
ことを特徴とする照明装置。
【請求項１０】
請求項１から請求項９の何れか１項に記載の照明装置において、
前記発光部は、前記発光面に有機ＥＬ素子を備える
ことを特徴とする照明装置。
【請求項１１】
請求項１から請求項１０の何れか１項に記載の照明装置と、制御対象の環境を示す情報を取得するセンサとからなる照明システムであって、
前記情報に基づいて、前記照明装置の発光部による調光の制御内容と、前記照明装置の発光部による調色の制御内容と、前記照明装置の設置部による設置の制御内容との少なくとも１つを決定する決定部と、
前記決定部により決定した前記制御内容に基づいて、前記照明装置の発光部と、前記照明装置の設置部との少なくとも一方を制御する制御部と
を備えることを特徴とする照明システム。
【請求項１２】
請求項１１に記載の照明システムにおいて、
前記センサは、前記室内の採光状況と在室状況との少なくとも一方に関する情報を取得する
ことを特徴とする照明システム。
【請求項１３】
請求項１１または１２に記載の照明システムにおいて、
前記センサは、前記発光面上、または、前記発光面に隣接して備えられる
ことを特徴とする照明システム。
【請求項１４】
請求項１０から請求項１３の何れか１項に記載の照明システムの制御をコンピュータに実行させるための照明制御プログラムであって、
制御対象の環境を示す情報を前記センサから取得する取得手順と、
前記情報に基づいて、前記照明装置の発光部による調光の制御内容と、前記照明装置の発光部による調色の制御内容と、前記照明装置の設置部による設置の制御内容との少なくとも１つを決定する決定手順と、
前記決定手順により決定した前記制御内容に基づいて、前記照明装置の発光部と、前記照明装置の設置部との少なくとも一方を制御する制御手順と
をコンピュータに実行させるための照明制御プログラム。
【請求項１５】
室内の天井面または壁面に設置可能で、少なくとも一面が発光面である板状部材により構成される発光部を備えた照明装置を用いる照明方法であって、
前記照明装置を前記天井面または前記壁面に設置する際に、前記発光面に対する法線方向を、床面の方向を除く少なくとも１つの方向とする
ことを特徴とする照明方法。
【発明の詳細な説明】
【技術分野】
【０００１】
本発明は、照明装置、照明システム、照明制御プログラムおよび照明方法に関する。
【背景技術】
【０００２】
従来より、照明設計を含む環境制御においては、快適性と省エネルギー効果とを両立するための様々な方法が考えられている。例えば、特許文献１の発明では、不使用時に目立つことなく、設置に自由度のある照明装置が提案されている。
【先行技術文献】
【特許文献】
【０００３】
【特許文献１】国際公開２０１１／０４６００９
【発明の概要】
【発明が解決しようとする課題】
【０００４】
ところで、近年、照明設計を含む環境制御においては、タスク・アンビエント照明方式が注目されている。タスク・アンビエント照明方式とは、机上面等における視作業性を確保するための照明であるタスク照明と、室内全体の環境の明るさを確保するための照明であるアンビエント照明を分離する照明方式である。このタスク・アンビエント照明方式は、十分な活用がされているとは言えない状況である。例えば、特許文献１の発明においては、１種類の照明でタスク照明とアンビエント照明とを実現することになり、十分な省エネルギー効果を得ることができない。
【０００５】
本発明は、上記問題に鑑みてなされたものであり、空間の使用目的に応じた空間の適切な明るさを確保しつつ、人工照明のエネルギーを抑制することを目的とする。
【課題を解決するための手段】
【０００６】
本発明の照明装置は、室内の天井面または壁面に設置可能な照明装置であって、前記照明装置を前記天井面または前記壁面に設置するための設置部と、少なくとも一面が発光面である板状部材により構成され、前記設置部により前記天井面または前記壁面に前記照明装置が設置された状態において、前記発光面に対する法線方向が、床面の方向を除く少なくとも１つの方向である発光部とを備える。
【０００７】
なお、前記発光面に対する法線方向は、鉛直方向と垂直な方向であっても良い。
【０００８】
また、前記発光部は鉛直方向と垂直な断面において、十字形状を有しても良い。
【０００９】
また、前記発光部は鉛直方向と垂直な断面において、前記壁面とそれぞれ平行な複数の直線からなる多角形形状を有しても良い。
【００１０】
また、前記発光部は鉛直方向と垂直な断面において、円形状または楕円形状を有しても良い。
【００１１】
また、前記設置部は、前記照明装置を、前記天井面または前記壁面に直接、または、支持部を介して設置しても良い。
【００１２】
また、前記発光部に電源を供給するバッテリー部をさらに備えても良い。
【００１３】
また、前記発光部は前記板状部材のうち、前記天井面または前記壁面に隣接する部分に可動部を設け、前記可動部により鉛直方向に対する前記発光面の角度を変更可能であっても良い。
【００１４】
また、前記発光部は前記板状部材のうち、前記法線方向に対して垂直な２つの面が前記発光面であっても良い。
【００１５】
また、前記発光部は、前記発光面に有機ＥＬ素子を備えても良い。
【００１６】
本発明の照明システムは、上述した何れかの照明装置と、制御対象の環境を示す情報を取得するセンサとからなる照明システムであって、前記情報に基づいて、前記照明装置の発光部による調光の制御内容と、前記照明装置の発光部による調色の制御内容と、前記照明装置の設置部による設置の制御内容との少なくとも１つを決定する決定部と、前記決定部により決定した前記制御内容に基づいて、前記照明装置の発光部と、前記照明装置の設置部との少なくとも一方を制御する制御部とを備える。
【００１７】
なお、前記センサは、前記室内の採光状況と在室状況との少なくとも一方に関する情報を取得しても良い。
【００１８】
また、前記センサは、前記発光面上、または、前記発光面に隣接して備えられても良い。
【００１９】
本発明の照明制御プログラムは、上述した何れかの照明システムの制御をコンピュータに実行させるための照明制御プログラムであって、制御対象の環境を示す情報を前記センサから取得する取得手順と、前記情報に基づいて、前記照明装置の発光部による調光の制御内容と、前記照明装置の発光部による調色の制御内容と、前記照明装置の設置部による設置の制御内容との少なくとも１つを決定する決定手順と、前記決定手順により決定した前記制御内容に基づいて、前記照明装置の発光部と、前記照明装置の設置部との少なくとも一方を制御する制御手順とをコンピュータに実行させる。
【００２０】
本発明の照明方法は、室内の天井面または壁面に設置可能で、少なくとも一面が発光面である板状部材により構成される発光部を備えた照明装置を用いる照明方法であって、前記照明装置を前記天井面または前記壁面に設置する際に、前記発光面に対する法線方向を、床面の方向を除く少なくとも１つの方向とする。
【発明の効果】
【００２１】
本発明によれば、空間の使用目的に応じた空間の適切な明るさを確保しつつ、人工照明のエネルギーを抑制することができる。
【図面の簡単な説明】
【００２２】
【図１】実施形態の照明装置の外観図
【図２】実施形態の照明装置の設置について説明する図
【図３】実施形態の照明装置の設置について説明する別の図
【図４】実施形態の照明装置の断面図
【図５】実施形態の照明装置による照明について説明する図
【図６】実施形態の照明システムの構成を示すブロック図
【図７】実施形態の照明システムの動作を示すフローチャート
【図８】実施形態の照明装置の可動部について説明する図
【図９】実施形態の別の照明装置の断面図および外観図
【図１０】実施形態の別の照明装置の断面図
【図１１】実施形態の別の照明装置の断面図
【図１２】実施形態の別の照明装置の外観図
【発明を実施するための形態】
【００２３】
以下、図面を用いて本発明の実施形態について説明する。
【００２４】
まず、実施形態の照明装置について説明する。図１は、実施形態の照明装置の外観図である。照明装置は、図１Ａに示すユニット１を１単位とし、単数または複数のユニットから構成される。ユニット１は、図１Ａに示すように板状の部材であり、発光面である前面の１ａと背面の１ｂとの両方に有機ＥＬ素子が配され、前面の１ａおよび背面の１ｂの両方から照明光が射出される。以下では、図１Ｂに示す２ユニットからなる照明装置２を例に挙げて説明する。実施形態の照明装置２は、図１Ｂに示すように、２つのユニットを直交するように組み立てたものであり、十字形状を有する。なお、４つのユニットを組み合わせて十字形状を構成しても良い。
【００２５】
次に、照明装置２の設置について説明する。照明装置２は、図２に示すように、室内の天井面に設置される。より具体的には、図２Ａに示すように天井面に直接設置されるか、または、図２Ｂに示すようにつり下げ金具などの支持部３を介して天井面に設置される。なお、設置のための部材（不図示）については、どのようなものであっても良い。例えば、照明装置２の上面に、一般によく知られるシーリングに着脱可能な部材や接続用のアダプタに着脱可能な部材を備え、各部材を介して天井面に設置しても良い。また、設置のための部材（不図示）は、公知技術と同様に、電源供給を兼ねたものであるのが好ましい。
【００２６】
図３は、実際に室内の天井面に照明装置２を設置した場合の例を示す。図３では、天井面に直接設置する場合の例を示す。図３Ａに示すように、照明装置２が設置された状態において、照明光の射出方向は鉛直方向と垂直な方向、すなわち水平方向（矢印ａ）になる。つまり、発光面に対する法線方向は、床面の方向を除く少なくとも１つの方向となる。図３Ｂは対比のための従来の照明装置の一例である。図３Ｂに示すように、従来の照明装置１００は、一般的に、設置された状態において、照明光の射出方向および発光面に対する法線方向は鉛直方向（矢印ｂ）となる。
【００２７】
図４は、照明装置２の、鉛直方向と垂直な面（ここでは、天井面および床面と平行な面）における断面図である。図４に示すように、照明装置２は、鉛直方向と垂直な断面において十字形状を有する。そして、両発光面からの照明光は壁方向に射出される。図４における各矢印は照明光を示す。図５Ａは、鉛直方向と垂直な面における照明装置２の断面図であり、各矢印は照明光を示す。図５Ａに示すように、照明装置２から射出された照明光は壁面や天井面で反射し、全体としては領域Ｌａに示す部分を照明することになる。一方、図５Ｂは、図３Ｂに示した従来の照明装置１００の、鉛直方向と垂直な面における断面図であり、各矢印は照明光を示す。図５Ｂに示すように、従来の照明装置１００から射出された照明光は壁面で反射し、全体としては領域Ｌｂに示す部分を照明することになる。
【００２８】
ここで、照明装置２と図３Ｂに示した従来の照明装置１００との違いについて述べる。図３Ｂに示した従来の照明装置１００は、そもそも、室内全体をできるだけ均一に照明することを目的とした全般照明と呼ばれる照明方式である。この照明方式では、図３Ｂの机Ｄｂの机上面や床面の水平面照度をできるだけ均一に保つことを目的とする。そのため、照明が十分均等であるかを示す指標として、例えば均斉度（最大照度／平均照度など）が用いられ、「机上面の均再度が０．８を下回らない」などの指針が用いられている。すなわち、照明装置１００は、机上面等の視作業性に関連する水平面に、均等な光を与えることに主眼が置かれている。
【００２９】
一方、照明装置２は、そもそも、机上面等における視作業性を確保するための照明であるタスク照明と、室内全体の環境の明るさを確保するための照明であるアンビエント照明を分離する照明方式のための照明装置である。この照明方式では、アンビエント照明と、机上面等における視作業性を確保するための照明であるタスク照明（図３Ａの例ではタスクライトＴａ）とを併用することを前提として、アンビエント照明は、空間の天井側から、図３Ａの人物Ｐａが着席した際の視線（例えば、地上１．２ｍ）程度まで、空間全体の明るさを保つことを目的とする。従来、明るさが保たれているかを示す指針として、一般には、「照度２００ｌｘ以上」などの指標が用いられているが、この指標は机上面や床面照度の値を用いて検討されており、省エネルギーの観点から見ると適切な指標ではない。アンビエント照明の本来の目的は、上述したように、室内全体の環境の明るさを確保することであり、机上面や床面の照度を確保することではない。そして、室内全体の環境の明るさは、壁面や天井面などの明るさで決まる。そこで、照明装置２は、壁面や天井面に十分な光を与えることに主眼が置かれている。
【００３０】
図３Ｂに示した従来の照明装置１００においては、図５Ｂに示したように、射出された照明光が壁面で反射し、全体としては領域Ｌｂに示す部分が照明されることになる。すなわち、机上面や床面の照度は確保されているが、壁面上部や天井面へのアンビエント照明は不足している一方、壁面下部では過剰である。そして、無駄な照明を行うことにより、エネルギーの無駄も発生している。一方、照明装置２は、図５Ａに示したように、射出された照明光が壁面や天井面で反射し、全体としては領域Ｌａに示す部分が照明されることになる。すなわち、机上面や床面の照度は確保されていないが、アンビエント照明の本来の目的である室内全体の環境の明るさは十分に確保されている。また、アンビエント照明として適切な照明を行いつつ、無駄な照明を最小に抑えることにより、省エネルギーも実現することができる。
【００３１】
次に、実施形態の照明システムについて説明する。
【００３２】
実施形態の照明システムは、図６に示すように、コンピュータ１１と、上述した照明装置２と、センサ２１とから構成される。
【００３３】
コンピュータ１１は、照明装置２と有線または無線で接続され、照明装置２の各部を制御する。また、コンピュータ１１は、センサ２１と有線または無線で相互に接続され、センサ２１を制御するとともに、センサ２１から情報を取得する。
【００３４】
コンピュータ１１は、照明システムの各部を制御する照明制御プログラムがインストールされたコンピュータである。コンピュータ１１は、図６に示すように、データ読込部１２、記憶装置１３、ＣＰＵ１４、メモリ１５および入出力Ｉ／Ｆ１６、バス１７を有している。データ読込部１２、記憶装置１３、ＣＰＵ１４、メモリ１５および入出力Ｉ／Ｆ１６は、バス１７を介して相互に接続されている。さらに、コンピュータ１１には、入出力Ｉ／Ｆ１６を介して、入力デバイス１８（キーボード、ポインティングデバイスなど）とモニタ１９とがそれぞれ接続されている。なお、入出力Ｉ／Ｆ１６は、入力デバイス１８からの各種入力を受け付けるとともに、モニタ１９に対して表示用のデータを出力する。
【００３５】
データ読込部１２は、センサ２１により取得した情報や、上記の照明制御プログラムを外部から読み込むときに用いられる。例えば、データ読込部１２は、着脱可能な記憶媒体からデータを取得する読込デバイス（光ディスク、磁気ディスク、光磁気ディスクの読込装置など）や、公知の通信規格に準拠して外部の装置と通信を行う通信デバイス（ＵＳＢインターフェース、ＬＡＮモジュール、無線ＬＡＮモジュールなど）で構成される。
【００３６】
記憶装置１３は、例えば、ハードディスクや、不揮発性の半導体メモリなどの記憶媒体で構成される。記憶装置１３には、照明制御プログラムや、プログラムの実行に必要となる各種のデータが記録されている。
【００３７】
ＣＰＵ１４は、コンピュータ１１の各部を統括的に制御するプロセッサである。このＣＰＵ１４は、上記の照明制御プログラムの実行によって、制御内容決定部２０として機能する。制御内容決定部２０の動作は後述する。
【００３８】
メモリ１５は、照明制御プログラムでの各種演算結果を一時的に記憶する。このメモリ１５は、例えば揮発性のＳＤＲＡＭなどで構成される。
【００３９】
センサ２１は、室内の採光状況や在室状況などの情報を取得するための装置である。センサ２１は、入射する光の総量を計る照度センサや人の動きなどを検知するセンサ等を備える。このセンサ２１は、照明装置２の発光面上や発光面に隣接して備えられても良いし、室内の壁面に備えられても良い。室内の壁面に備える場合には、上述したように、人物が着席した際の視線（例えば、地上１．２ｍ）程度の高さに設置すると良い。また、照明装置２における照明の光量は、コンピュータ１１により制御可能である。
【００４０】
以上説明した構成の照明システムの動作について、図７に示すフローチャートを参照して説明する。
【００４１】
ステップＳ１において、ＣＰＵ１４は、入出力Ｉ／Ｆ１６を介してセンサ２１を制御して室内の採光状況や在室状況の情報を取得し、センサ２１により取得した情報を入出力Ｉ／Ｆ１６を介して取り込む。
【００４２】
ステップＳ２において、ＣＰＵ１４は、ステップＳ１で取得した室内の採光状況や在室状況の情報に基づいて、制御が必要か否かを判定する。ＣＰＵ１４は、制御が必要と判定するとステップＳ３に進み、制御が不要と判定すると後述するステップＳ５に進む。
【００４３】
ＣＰＵ１４は、例えば、ステップＳ１で取得した在室状況の情報に基づいて、必要な明るさの目標値を決定し、ステップＳ１で取得した室内の採光状況が前述の目標値に対して不十分である場合には、制御が必要と判定し、それ以外の場合には、制御不要と判定する。
【００４４】
ステップＳ３において、ＣＰＵ１４は、制御内容決定部２０により、調光制御の内容を決定する。制御内容決定部２０は、ステップＳ１で取得した室内の採光状況と前述の目標値とに基づいて、照明装置２における照明の光量を決定する。
【００４５】
ステップＳ４において、ＣＰＵ１４は、ステップＳ３で決定した制御内容にしたがって、照明装置２の制御を行う。そして、制御を終了すると、ステップＳ１に戻る。すなわち、ＣＰＵ１４は、室内の採光状況や在室状況の情報の取得を繰り返し行う。
【００４６】
なお、ステップＳ２からステップＳ４では、調光制御を例に挙げて説明したが、調色制御をさらに行っても良い。この場合、センサ２１に調色制御に必要なセンサを備え、ステップＳ２からステップＳ４で説明した調光制御と同様に調色制御を行えば良い。また、照明装置２においてより複雑な制御が可能な場合、ＣＰＵ１４は、ステップＳ３において適宜制御の内容を決定し、ステップＳ４において制御を行えば良い。例えば、照明装置２の発光部分が部分的に調光および調色制御可能な場合、窓の向きなどに応じて表面と裏面とを独立にオン、オフしたり、部分的に照明をオン、オフしたり、グラデーションをつける制御を行っても良い。
【００４７】
さらに、図８Ａに示すように照明装置２のうち、天井面に隣接する部分（点線で囲った部分）に蝶番のような可動部Ｍ（不図示）を備え、図８Ｂに示すように天井面に水平に設置可能としても良い。この場合、照明光の射出方向を変更可能であり、室内の採光状況や在室状況の情報に応じて、照明装置２を従来のような全般照明にも兼用することができる。
【００４８】
また、照明システムに遮光装置（ブラインド、カーテン、ロールスクリーン、光の透過率を能動的、または、受動的に変更可能な窓素材など）を備え、照明装置２と連動して制御する構成としても良い。
【００４９】
ステップＳ２において、制御が不要であると判定すると、ステップＳ５において、ＣＰＵ１４は、所定の時間が経過したか否かを判定する。ＣＰＵ１４は、不図示のタイマにより、前回センサ２１から情報を取得してから所定の時間が経過するまで待機し、所定の時間が経過したと判定するとステップＳ１に戻る。なお、所定の時間は、予め定められた時間であっても良いし、作業者により指定された時間であっても良い。
【００５０】
最後に、照明装置２の設置および形状の変形例について説明する。図９Ａは、照明装置２を設置する際に、十字形状のそれぞれの直線部分が壁面と平行になるように設置した場合の、鉛直方向と垂直な面における照明装置２の断面図である。このように設置する場合には、上述したように窓の向きなどに応じて表面と裏面とを独立にオン、オフする際に有用である。
【００５１】
また、上述した例では、照明装置２の発光面に対する法線方向は、鉛直方向と垂直な方向、つまり水平方向である例を示したが、設置の都合や照明装置２のデザインなどに応じて多少の角度を有しても良い。例えば、発光面に対する法線方向が、水平方向より上方向（天井寄りの方向）であっても良いし、発光面に対する法線方向が、水平方向より下方向（床寄りの方向）であっても良い。ただし、何れの場合も、アンビエント照明の本来の目的を達成することが必要である。そのため、発光面に対する法線方向を、水平方向より上方向（天井寄りの方向）にする場合には、空間の天井側から、人物が着席した際の視線（例えば、地上１．２ｍ）程度まで、空間全体の明るさを保つように、水平方向と法線方向とが成す角度（水平方向を基準とした上向きの角度であり、以下、仰角と称する）を設定することが必要である。逆に、発光面に対する法線方向を、水平方向より下方向（床寄りの方向）にする場合には、壁面上部や天井面へのアンビエント照明を確保しつつ、壁面下部への過剰かつ無駄な照明を抑えるように、水平方向と法線方向とが成す角度（水平方向を基準とした下向きの角度であり、以下、俯角と称する）を設定することが必要である。また、この角度は照明装置２と壁面との距離によっても適切な角度が変化する。例えば、照明装置２が壁面の比較的近くに設置される場合には、空間の天井側から、人物が着席した際の視線（例えば、地上１．２ｍ）程度まで、空間全体の明るさを保つように、俯角を比較的大きくする必要がある。逆に、照明装置２が壁面から比較的遠くに設置される場合には、壁面上部や天井面へのアンビエント照明を確保しつつ、壁面下部への過剰かつ無駄な照明を抑えるように仰角または俯角を設定する必要がある。つまり、照明装置２から壁面までの距離が大きいほど仰角を大きく、あるいは俯角を小さくし、照明装置２から壁面までの距離が小さいほど仰角を小さく、あるいは俯角を大きくする必要がある。したがって、照明装置２の発光面に対する法線方向と、水平方向との角度は、照明装置２から壁面までの距離と、壁面のどの高さまで照明光を届かせるか（あるいは、照明光が届かないようにするか）との関係で設定すると良い。上述した仰角および俯角は、一例として、仰角、俯角ともに３０度以内であることが好ましい。
【００５２】
また、例えば、図９Ｂに示すように、矩形形状を有する構成であっても良いし、図９Ｃに示すように、円形状（環状）を有する構成であっても良い。何れの場合も、図１０Ａおよび図１０Ｂの鉛直方向と垂直な断面図に示すように、壁面や天井面を効率よく照明することができる。また、図１１Ａの鉛直方向と垂直な断面図に示すように、直線と曲線を組み合わせた構成としても良い。また、図１１Ｂの鉛直方向と垂直な断面図に示すように、部屋の形状に合わせて、壁面とそれぞれ平行な複数の直線からなる多角形形状を有する構成であっても良い。
【００５３】
また、デザイン性を加味して、図１２Ａに示すような波形形状を有する構成であっても良いし、ねじりを組み合わせた構成であっても良い。また、図１２Ｂおよび図１２Ｃに示すように、いくつかのユニットを離散的に配置する構成としても良い。
【００５４】
以上説明したように、実施形態によれば、照明装置を室内の天井面または壁面に設置するための設置部と、板状部材により構成され、設置部により天井面または壁面に照明装置が設置された状態において、板状部材の発光面に対する法線方向が、床面の方向を除く少なくとも１つの方向である発光部とを備える。したがって、効率の良いアンビエント照明を実現することにより、空間の使用目的に応じた空間の適切な明るさを確保しつつ、人工照明のエネルギーを抑制することができる。そのため、快適性、知的生産性、安全性を維持しつつ省エネルギー効果を得ることができる。
【００５５】
また、実施形態によれば、天井面または壁面に隣接する部分に可動部を設け、可動部により照明光の射出方向を変更可能である。したがって、室内の採光状況や在室状況の情報に基づいて、照明装置を従来のような全般照明にも兼用することができる。
【００５６】
また、実施形態によれば、発光部は発光面に有機ＥＬ素子を備える。現状、有機ＥＬ素子は蛍光灯型の照明装置など、単純に従来の発光素子の代替品として利用されている場合が多い。しかし、実施形態の照明装置は、有機ＥＬ素子の特徴や特性を生かした使用方法として有用である。
【００５７】
なお、実施形態では、照明装置を天井面に設置する例を示したが、同様の技術思想に則り、壁面に設置する構成としても良い。この場合、壁面のうち、天井面に近い部分に設置するのが好ましい。また、天井面が斜面である場合（あるいは壁面の一部が斜面である場合）にも、発光面の法線方向を基準とした設置を行うことにより、同様の効果を得ることができる。
【００５８】
また、実施形態では、照明装置の設置のための部材（不図示）から電源供給を行う例を示したが、照明装置の内部に電源を供給するバッテリー部をさらに備える構成としても良い。さらに、太陽発電が可能なバッテリー部であっても良い。さらに、バッテリー部を内蔵する場合には、据え付けでの利用にとどまらず、適宜取り外し可能な照明装置として利用することができる。
【００５９】
また、実施形態では、図１に示したユニット１の前面の１ａおよび背面の１ｂの両方を発光面とする例を示したが、片面のみを発光面とする構成であっても良い。また、折り曲げや伸び縮みが可能な布状などの有機ＥＬ素子を利用しても良い。例えば、金属などにより構成される枠に布状の有機ＥＬ素子を張ることにより図１Ａに示したような板状の部材を構成しても良い。また、例えば、骨組みに布状の有機ＥＬ素子を被せたり、布状の有機ＥＬ素子を天井面から吊すことによって図１Ａに示したような板状の部材を構成しても良い。また、有機ＥＬ素子以外の発光素子を利用する構成としても良い。例えば、点光源を面状に配置した構成としても良い。
【００６０】
また、図７のフローチャートのステップＳ３で説明した制御内容の決定の仕方の一例であり、本発明はこの例に限定されない。
【００６１】
また、図７のフローチャートのステップＳ４において、ステップＳ３で決定した制御内容に応じた制御を自動で行う例を示したが、本発明はこの例に限定されない。例えば、制御を行う前に、モニタ１９などを利用して、作業者に、ステップＳ３で決定した制御内容を報知し、作業者の許可を得てから実際の制御を行う構成としても良い。また、例えば、図７のフローチャートのステップＳ３において決定した制御内容をメモリ１５や記憶装置１３などに記憶しておき、作業者による要望があった場合に、これらの内容を読み出して制御を行っても良い。
【００６２】
また、屋内の環境の例として、図３に示したオフィスを例示して説明を行ったが、本発明はこの例に限定されない。照明装置の組み合わせや配置が異なるオフィスであっても良いし、一般的な住宅の各部屋や、美術館などの環境であっても良い。いずれの場合も、図７のフローチャートのステップＳ３においては、その環境に応じた制御内容を決定すれば良い。
【００６３】
また、照明制御プログラムも、本発明の具体的態様として有効である。この照明制御プログラムは、コンピュータにより読み取り可能な媒体に記憶されたものであっても良いし、Ｗｅｂ上のサーバなどに記憶され、インターネットを介してコンピュータにダウンロード可能なものであっても良い。上記した各実施形態で説明した照明装置などと、各部を制御可能なコンピュータとを接続し、上述した照明制御プログラムをコンピュータにより実行することにより、上記した各実施形態で説明した環境制御システムと同様の処理を実現し、実施形態と同様の効果を得ることができる。
【符号の説明】
【００６４】
２…照明装置、１１…コンピュータ、１４…ＣＰＵ、２１…センサ
【図１】
2015002007.tif 000003
【図２】
2015002007.tif 000004
【図３】
2015002007.tif 000005
【図４】
2015002007.tif 000006
【図５】
2015002007.tif 000007
【図６】
2015002007.tif 000008
【図７】
2015002007.tif 000009
【図８】
2015002007.tif 000010
【図９】
2015002007.tif 000011
【図１０】
2015002007.tif 000012
【図１１】
2015002007.tif 000013
【図１２】
2015002007.tif 000014